(57)【要約】  【課題】  ＣＤＳ処理によってノイズの戻り込みがあったとしても、各チャンネルのキャリア成分の変化を同一にして、各チャンネルのキャリア成分による色差を抑制することができる撮像装置を提供する。  【解決手段】  受光領域が左右の２つの領域２０ａ，２０ｂに分割されており、各領域２０ａ，２０ｂに属する各列の受光部２１ａ，２１ｂが受光により生成したアナログ信号を受け取って列方向に順次転送する複数のＬ用垂直転送ＣＣＤ２２ａ，Ｒ用垂直転送ＣＣＤ２２ｂと、Ｌ用垂直転送ＣＣＤ２２ａ，Ｒ用垂直転送ＣＣＤ２２ｂが列方向に順次転送するアナログ信号を受け取って行方向に順次転送する複数のＬ用水平転送ＣＣＤ２３ａ，Ｒ用水平転送ＣＣＤ２３ｂとを備え、さらにＲ用水平転送ＣＣＤ２３ｂにダミー水平転送ＣＣＤ２４が接続されている。【選択図】        図１
2006319581.tif 000002
【特許請求の範囲】
【請求項１】
複数の領域の夫々にマトリックス状に配置された複数の受光部と、各領域に属する各列の受光部が受光により生成したアナログ信号を受け取って列方向に順次転送する複数の第１転送部と、各領域の夫々の第１転送部が列方向に順次転送するアナログ信号を受け取って行方向に順次転送する複数の第２転送部と、各第２転送部が順次転送するアナログ信号をデジタル信号へ変換する変換部とを備え、変換されたデジタル信号に基づいて画像信号を生成する撮像装置において、
前記複数の第２転送部のうちの少なくとも１つの第２転送部の転送側に、いずれの受光部とも接続されないダミーの転送部が接続してあること
を特徴とする撮像装置。
【請求項２】
前記複数の受光部には、各受光部の行方向位置に応じて特性が異なるフィルタが配されており、
前記ダミーの転送部の段数は、各第２転送部が転送する同一時点の信号が同一特性のフィルタに係る信号となるように設定されていること
を特徴とする請求項１に記載の撮像装置。
【請求項３】
前記フィルタは信号のキャリア成分を決定するカラーフィルタであり、
各第２転送部が転送する同一時点の信号のキャリア成分が同一となるように設定されていること
を特徴とする請求項２に記載の撮像装置。
【請求項４】
前記変換部より後段側に、前記ダミーの転送部が接続されていない第２転送部の信号を遅延して、前記ダミーの転送部が接続されている第２転送部による信号の遅延を補正する補正部を備えること
を特徴とする請求項１乃至請求項３のいずれか１つに記載の撮像装置。
【発明の詳細な説明】
【技術分野】
【０００１】
本発明は、多分割読み出し方式を採用した撮像装置に関し、より具体的には、信号に重畳されるノイズを低減して、各チャンネルのキャリア成分による色差を抑制することができる撮像装置に関する。
【背景技術】
【０００２】
撮像素子としてのＣＣＤ（Charge Coupled Devices）は、受光部と垂直転送部と水平転送部とを備えて構成される。近年、多画素化に伴って、ＣＣＤの高速読み出し方式の一つとして多分割読み出し方式が提案されている。多分割読み出し方式とは、受光領域を複数（例えば左右の２つ）に分割し、分割した各領域に水平転送部を設けて、各領域毎に信号を読み出す方式である。
【０００３】
図８は従来の多分割（２分割）読み出し方式の撮像装置の構成を示すブロック図である。
従来の撮像装置１００は、受光領域が左右の２つの領域１２０ａ，１２０ｂに分割されており、夫々の領域１２０ａ，１２０ｂに複数の受光部１２１ａ，１２１ａ，…、及び受光部１２１ｂ，１２１ｂ，…がマトリックス状に配置されている。そして、領域１２０ａに属する各列の受光部１２１ａ，１２１ａ，…にはＬ用垂直転送ＣＣＤ１２２ａが、領域１２０ｂに属する各列の受光部１２１ｂ，１２１ｂ，…にはＲ用垂直転送ＣＣＤ１２２ｂが接続されている。Ｌ用垂直転送ＣＣＤ１２２ａ，１２２ａ，…はＬ用水平転送ＣＣＤ１２３ａに、Ｒ用垂直転送ＣＣＤ１２２ｂ，１２２ｂ，…はＲ用水平転送ＣＣＤ１２３ｂに接続されており、受光部が光を受けて生成したアナログ信号を受け取って列方向に順次転送する。
【０００４】
Ｌ用水平転送ＣＣＤ１２３ａ及びＲ用水平転送ＣＣＤ１２３ｂは、各水平転送ＣＣＤが列方向に順次転送するアナログ信号を受け取って行方向（ここではアンプ１２５の方向）に順次転送する。転送されたアナログ信号は、アンプ１２５（一般にFloating Diffusion AMPと呼ばれる）によって電流値から電圧値に変換された後、ＣＤＳ／ＡＤＣ１１２へ出力される。ＣＤＳ／ＡＤＣ１１２は、ＣＤＳ（Correlated Double Sampling：相関二重サンプリング）処理を行うものであり、アナログ信号をデジタル信号に変換する。しかし、従来の撮像装置１００では、Ｌ用水平転送ＣＣＤ１２３ａの段数とＲ用水平転送ＣＣＤ１２３ｂの段数とは同一であり、２分割読み出し方式では、アンプ１２５の利得バラツキなどによって、左右の各領域の出力レベルに相違が生じてしまうという問題があった。
【０００５】
そこで、左右の各領域の出力レベルを補正する技術が提案されている（例えば特許文献１参照。）。特許文献１に開示されている技術は、輝度に応じて出力レベル差が変動することを考慮し、出力レベルに応じた補正近似直線を予め用意しておき、補正近似直線に基づいて出力レベルを輝度に応じて補正するものである。
【０００６】
補正近似直線群を作成する場合、Ｌ用水平転送ＣＣＤ１２３ａ，Ｒ用水平転送ＣＣＤ１２３ｂから順次転送されたアナログ信号は、各水平転送ＣＣＤに接続されたアンプ１２５を通じて２チャンネル対応のＣＤＳ／ＡＤＣ１１２へ出力され、ＣＤＳ／ＡＤＣ１１２によってデジタル信号に変換（ＡＤ変換）される。変換されたデジタル信号はゲイン検出回路１１４に出力され、ゲイン検出回路１１４は左右のデジタル信号のゲイン差を検出する。そして、制御マイコンのような制御部１１０は、検出されたゲイン差に基づいて、輝度に応じた補正近似直線を作成し、不揮発性のメモリ１１１に記憶する。
【０００７】
一方、撮像を行う場合、ＡＤ変換までは上述した補正近似直線群を作成する手順と同様であり、ＡＤ変換されたデジタル信号はゲイン検出回路１１４に出力されるが、ゲイン差の検出を行うことなくゲイン補正回路１１５へ出力される。制御部１１０は、撮像を行うよりも前にメモリ１１１に記憶している補正近似直線群をゲイン補正回路１１５に設定しておくことで、ゲイン補正回路１１５は、補正近似直線群に基づいて、入力されたデジタル信号を信号レベルに応じて補正する。ゲイン補正によって、一方の水平転送ＣＣＤ（本例ではＲ用水平転送ＣＣＤ１２３ｂ）の出力レベルが、他方の水平転送ＣＣＤ（本例ではＬ用水平転送ＣＣＤ１２３ａ）の出力レベルに補正される。
【０００８】
２分割読み出し方式では、１ラインを左右２チャンネルに分割して出力しているので、補正されたデジタル信号は要素並替回路１１６に出力され、要素並替回路１１６がこれらを１ラインに再構成する。すなわち、第１ラインの右チャンネル信号に第１ラインの左チャンネル信号を続ける。第２ラインの右チャンネル信号に第２ラインの左チャンネル信号を続ける。そして、第３ラインの右チャンネル信号に第３ラインの左チャンネル信号を続ける。以下、同様に各信号を続け、１フレーム（又は１フィールド）分の信号を構成する。これら再構成された１ライン分の各ライン信号はＣＣＤ信号処理回路１１７に出力され、ＣＣＤ信号処理回路１１７はフィルタ処理を行った後に、輝度信号Ｙ及びクロマ信号Ｃ（Ｃｒ，Ｃｂ）を生成する。
【特許文献１】特開２００２−３２０１４２号公報
【発明の開示】
【発明が解決しようとする課題】
【０００９】
特許文献１に開示された技術においては、品質が優れた受光部、垂直転送部及び水平転送部から構成されるＣＣＤ、並びにＣＤＳ／ＡＤＣを用いた場合には有効であるが、品質の落ちるＣＣＤ及びＣＤＳ／ＡＤＣを用いた場合、ＣＣＤ及びＣＤＳ／ＡＤＣのバラツキに対応できないことがある。
【００１０】
また、カラー化を行う場合、複数種類のフィルタを受光部に配置する必要があり、Ｒ（赤）、Ｇ（緑）及びＢ（青）の３種類のカラーフィルタを用いる形態（図９（ａ））、Ｇ（緑）、Ｙｅ（黄）、Ｃｙ（シアン）及びＭ（マゼンタ）の４種類のカラーフィルタを用いる形態（図９（ｂ））などがある。ところで、従来のＣＣＤでは、水平転送部が左チャンネルの段数と右チャンネルの段数とが同一であるため、図１０に示すように、左右の水平転送ＣＣＤの時刻Ｔ１，Ｔ２，Ｔ３，Ｔ４，…における出力（ＣＤＳ／ＡＤＣへの入力）はキャリア成分の異なる信号となる（図１０（ａ））。フィルタＣ１，Ｃ２，Ｃ３及びＣ４を用いた場合、フィルタＣ１，Ｃ２，Ｃ３，Ｃ４に対応する画素がキャリア成分を表す。
【００１１】
ＣＤＳ／ＡＤＣは入力したアナログ信号に対してＣＤＳ（Correlated Double Sampling：相関二重サンプリング）処理を行って、デジタル信号に変換する集積回路であるが、アナログ系とデジタル系との境界であるため、出力側のデジタル信号の変化によるノイズ（図１０（ａ）破線で示す）が入力側のアナログ信号に戻り込み、異なるキャリア成分による色の左右差が発生しやすくなる（図１０（ｂ））。
【００１２】
ＣＤＳ／ＡＤＣ周辺の最適化を行ってノイズの戻り込みを抑制すれば、色の左右差は小さくなるが、完全にノイズの戻り込みをなくすのは極めて困難である。また、特許文献１に開示された技術においては、輝度成分に対する補正であることから、上述したようなキャリア成分による色の左右差を補正することはできない。
【００１３】
本発明は斯かる事情に鑑みてなされたものであり、ＣＤＳ処理によってノイズの戻り込みがあったとしても、各チャンネルのキャリア成分の変化を同一にして、各チャンネルのキャリア成分による色差を抑制することができる撮像装置の提供を目的とする。
【課題を解決するための手段】
【００１４】
本発明に係る撮像装置は、複数の領域の夫々にマトリックス状に配置された複数の受光部と、各領域に属する各列の受光部が受光により生成したアナログ信号を受け取って列方向に順次転送する複数の第１転送部と、各領域の夫々の第１転送部が列方向に順次転送するアナログ信号を受け取って行方向に順次転送する複数の第２転送部と、各第２転送部が順次転送するアナログ信号をデジタル信号へ変換する変換部とを備え、変換されたデジタル信号に基づいて画像信号を生成する撮像装置において、前記複数の第２転送部のうちの少なくとも１つの第２転送部の転送側に、いずれの受光部とも接続されないダミーの転送部が接続してあることを特徴とする。
【００１５】
本発明にあっては、複数の領域の夫々に複数の受光部をマトリックス状に配置し、各領域に属する各列の受光部によって光電変換されたアナログ信号を第１転送部が受け取って列方向に順次転送する。また、各第１転送部によって列方向に順次転送されたアナログ信号を第２転送部が受け取って行方向に順次転送する。そして、各第２転送部によって順次転送されたアナログ信号をデジタル信号へ変換する。第２転送部のうちの少なくとも１つの第２転送部の転送側には、いずれの受光部とも接続されないダミーの転送部が接続してあるので、ダミーの転送部が接続された第２転送部からのアナログ信号は、ダミーの転送部の分だけ遅延する。これにより、アナログ信号からデジタル信号に変換する場合、出力側のデジタル信号は１つのキャリア成分しか含まれないようにすることができ、ノイズの入力側への戻り込みがあった場合でも、各チャンネルのキャリア成分の変化を同一にすることができ、各チャンネルのキャリア成分による色差を抑制することができる。
【００１６】
本発明に係る撮像装置は、上述した発明において、前記複数の受光部には、各受光部の行方向位置に応じて特性が異なるフィルタが配されており、前記ダミーの転送部の段数は、各第２転送部が転送する同一時点の信号が同一特性のフィルタに係る信号となるように設定されていることを特徴とする。
【００１７】
本発明にあっては、夫々の受光部にはその受光部の行方向の位置に応じて特性が異なるフィルタが周期的に配され、各第２転送部が転送する同一時点の信号が同一特性のフィルタに係る信号となるように、ダミーの転送部の段数が設定されている。これにより、アナログ信号からデジタル信号に変換する場合、出力側のデジタル信号は１つのキャリア成分しか含まれないので、ノイズの入力側への戻り込みがあったとしても、各チャンネルのキャリア成分の変化が同一となって、各チャンネルのキャリア成分による色差が抑制される。
【００１８】
本発明に係る撮像装置は、上述した発明において、前記フィルタは信号のキャリア成分を決定するカラーフィルタであり、各第２転送部が転送する同一時点の信号のキャリア成分が同一となるように設定されていることを特徴とする。
【００１９】
本発明にあっては、夫々の受光部に配されるカラーフィルタによって信号のキャリア成分が決定され、各第２転送部が転送する同一時点の信号のキャリア成分が同一となるように、ダミーの転送部の段数が設定されているので、各チャンネルのキャリア成分による色差を抑制することができる。
【００２０】
本発明に係る撮像装置は、上述した各発明において、前記変換部より後段側に、前記ダミーの転送部が接続されていない第２転送部の信号を遅延して、前記ダミーの転送部が接続されている第２転送部による信号の遅延を補正する補正部を備えることを特徴とする。
【００２１】
本発明にあっては、アナログ信号をデジタル信号に変換する変換部より後段側に、ダミーの転送部が接続されていない第２転送部の信号を遅延する。これによって、実質的にダミーの転送部が接続された第２転送部による信号の遅延を補正することができ、従来と同様のゲイン補正の手法を適用することができる。
【発明の効果】
【００２２】
本発明によれば、複数の領域の夫々に複数の受光部をマトリックス状に配置し、各領域に属する各列の受光部によって光電変換されたアナログ信号を第１転送部が受け取って列方向に順次転送し、各第１転送部によって列方向に順次転送されたアナログ信号を第２転送部が受け取って行方向に順次転送し、各第２転送部によって順次転送されたアナログ信号をデジタル信号へ変換するに際して、第２転送部のうちの少なくとも１つの第２転送部の転送側に、いずれの受光部とも接続されないダミーの転送部を接続する構成としたので、ダミーの転送部が接続された第２転送部からのアナログ信号をダミーの転送部の分だけ遅延させ、ＣＤＳ処理のようなアナログ信号からデジタル信号に変換する場合に、出力側のデジタル信号には１つのキャリア成分しか含まれないようにして、ノイズの入力側への戻り込みがあったとしても、各チャンネルのキャリア成分の変化を同一にして、各チャンネルのキャリア成分による色差を抑制することができる。
【００２３】
本発明によれば、夫々の受光部にその受光部の行方向の位置に応じて特性が異なるフィルタを配し、各第２転送部が転送する同一時点の信号が同一特性のフィルタに係る信号となるように、ダミーの転送部の段数が設定された構成としたので、出力側のデジタル信号には１つのキャリア成分しか含まれないので、ノイズの入力側への戻り込みがあったとしても、各チャンネルのキャリア成分の変化が同一となって、各チャンネルのキャリア成分による色差を抑制することができる。
【００２４】
本発明によれば、夫々の受光部に配されるカラーフィルタによって信号のキャリア成分が決定され、各第２転送部が転送する同一時点の信号のキャリア成分が同一となるように、ダミーの転送部の段数が設定された構成としたので、各チャンネルのキャリア成分による色差を抑制することができる。
【００２５】
本発明によれば、アナログ信号をデジタル信号に変換する変換部より後段側に、ダミーの転送部が接続されていない第２転送部の信号を遅延する構成としたので、実質的にダミーの転送部が接続された第２転送部による信号の遅延を補正することができ、従来と同様のゲイン補正の手法を適用することができる等、優れた効果を奏する。
【発明を実施するための最良の形態】
【００２６】
以下、本発明をその実施の形態を示す図面に基づいて詳述する。
【００２７】
図１は本発明に係る撮像装置の構成を示すブロック図である。
本発明に係る撮像装置１は、制御部１０、メモリ１１、ＣＣＤ２０、ＣＤＳ／ＡＤＣ１２、遅延補正回路１３、ゲイン検出回路１４、ゲイン補正回路１５、要素並替回路１６、及びＣＣＤ信号処理回路１７を備える。
【００２８】
ＣＣＤ２０は、被写体の光学像を撮像してアナログの電気信号（以下、アナログ信号）に変換して出力するものであり、本例では受光領域を左右の２つの領域２０ａ，２０ｂに分割した２分割読み出し方式を一例として説明する。領域２０ａ及び２０ｂの夫々にはマトリックス状に配置された複数の受光部２１ａ，２１ａ，…、及び受光部２１ｂ，２１ｂ，…が配置されている。なお、受光部２１ａ，２１ａ，…、及び受光部２１ｂ，２１ｂ，…には、各受光部の行方向位置に応じて特性が異なるカラーフィルタが配されており（図９参照）、２（横）×２（縦）の受光部が１つの画素群Ｕを構成する。
【００２９】
領域２０ａに属する各列の受光部２１ａ，２１ａ，…には、各受光部の受光によって生成されたアナログ信号を受け取って列方向に順次転送する複数のＬ用垂直転送ＣＣＤ２２ａ，２２ａ，…が接続され、領域２０ｂに属する各列の受光部２１ｂ，２１ｂ，…には、各受光部の受光によって生成されたアナログ信号を受け取って列方向に順次転送する複数のＲ用垂直転送ＣＣＤ２２ｂ，２２ｂ，…が接続されている。
【００３０】
Ｌ用垂直転送ＣＣＤ２２ａ，２２ａ，…、及びＲ用垂直転送ＣＣＤ２２ｂ，２２ｂ，…には、各垂直転送ＣＣＤが列方向に順次転送するアナログ信号を受け取って行方向に順次転送するＬ用水平転送ＣＣＤ２３ａ及びＲ用水平転送ＣＣＤ２３ｂが接続されている。
【００３１】
本発明においては、さらにＲ用水平転送ＣＣＤ２３ｂの出力側にダミー水平転送ＣＣＤ２４が接続されている。Ｌ用水平転送ＣＣＤ２３ａ及びＲ用水平転送ＣＣＤ２３ｂ（正確にはダミー水平転送ＣＣＤ２４）には、アンプ２５が接続されており、出力レベルが適宜増幅されるようになしてある。
【００３２】
ＣＤＳ／ＡＤＣ１２は、ＣＣＤ２０（より具体的にはＬ用水平転送ＣＣＤ２３ａ，Ｒ用水平転送ＣＣＤ２３ｂ（正確にはダミー水平転送ＣＣＤ２４））が順次転送するアナログ信号に対してＣＤＳ（Correlated Double Sampling：相関二重サンプリング）処理を行ってデジタル信号に変換する。遅延補正回路１３は、Ｌ用水平転送ＣＣＤ２３ａ側、すなわちＬチャンネル側の信号を遅延して、Ｒ用水平転送ＣＣＤ２３ｂに接続されたダミー水平転送ＣＣＤ２４によって遅延したＲチャンネル側の信号のタイミングに補正する。
【００３３】
ゲイン検出回路１４は、同一ラインの各チャンネルにおいて、Ｒチャンネル信号のレベルとＬチャンネル信号のレベルとの差（ゲイン差）を所定の測定点ごとに検出する。例えば、Ｒチャンネル信号に対するゲインを基準にゲイン差を検出する。または、Ｌチャンネル信号に対するゲインを基準にゲイン差を検出する。
【００３４】
ゲイン補正回路１５は、制御部１０を介して、ＥＥＰＲＯＭのような不揮発性のメモリ１１に格納されている乗数特性を参照し、入力されたライン信号のレベルに応じたゲイン差を算出する。そして、ゲイン補正回路１５は、左チャンネル信号を増幅すべき左ゲイン及び右チャンネル信号を増幅すべき右ゲインをゲイン差に応じてそれぞれ決定する。ゲイン補正回路１５は、各ライン信号において、決定された各ゲインによって各チャンネル毎に夫々増幅した後に、要素並替回路１６に出力する。すなわち、ゲイン補正回路１５は、ライン信号中におけるＬチャンネル信号に相当する部分に対しては左ゲインで増幅し、ライン信号中における右チャンネル信号に相当する部分に対しては右ゲインで増幅する。これによって、各チャンネル信号に対して適正なゲインで夫々増幅されるため、レベル差を補正することができる。
【００３５】
ＣＣＤ２０が１ラインを２チャンネルに分割して出力していることから、要素並替回路１６にてこれらを１ラインに再構成する。すなわち、第１ラインのＲチャンネル信号に第１ラインのＬチャンネル信号を続ける。第２ラインのＲチャンネル信号に第２ラインのＬチャンネル信号を続ける。そして、第３ラインのＲチャンネル信号に第３ラインのＬチャンネル信号を続ける。以下、同様に各信号を続け、１フレーム（またはフィールド）分の信号を構成する。これら再構成された１ライン分の各ライン信号は、ＣＣＤ信号処理回路１７に出力される。
【００３６】
ＣＣＤ信号処理回路１７は、要素並替回路１６にて再構成された各ライン信号から輝度信号（Ｙ信号）及びクロマ信号（Ｃ（Ｃｂ，Ｃｒ）信号）を生成するために必要な前処理を行い、Ｙ信号及びＣ（Ｃｂ，Ｃｒ）信号を生成して出力する。なお、ＣＣＤ信号処理回路１７にて、ガンマ補正、フィルタリング及び輪郭強調処理などの処理を適宜行うようにしてもよい。
【００３７】
図２乃至図６は本発明に係る撮像装置の撮像時の状態を説明するための説明図である。
まず、本発明に係る撮像装置１は、受光部２１ａ，２１ｂに入射した光を光電変換して、受光部に配されたカラーフィルタの特性に応じて、Ｃ１，Ｃ２，Ｃ３，Ｃ４のキャリア成分が含まれるアナログ信号を生成する（図２）。例えば、図９（ａ）の場合、Ｃ１，Ｃ２，Ｃ３，Ｃ４は、夫々Ｇ成分、Ｒ成分、Ｂ成分、Ｇ成分であり、図９（ｂ）の場合、Ｃ１，Ｃ２，Ｃ３，Ｃ４は、夫々Ｇ成分、Ｍ（Ｇの補色）成分、Ｙｅ成分、Ｃｙ（Ｒの補色）成分である。
【００３８】
次に、受光部２１ａ，２１ｂにて光電変換されたアナログ信号は、Ｌ用垂直転送ＣＣＤ２２ａ，Ｒ用垂直転送ＣＣＤ２２ｂに移される（図３）。垂直転送ＣＣＤは受光部の列方向の数と同一の段数から構成されており、図示しないクロック信号に同期してアナログ信号を垂直方向に転送する。
【００３９】
転送側の最前段は、Ｌ用水平転送ＣＣＤ２３ａ，Ｒ用水平転送ＣＣＤ２３ｂへアナログ信号を転送し、最前段以外の各段は、１つ前の段からアナログ信号を受け取る（図４）。つまり、Ｌ用水平転送ＣＣＤ２３ａは、信号の進行方向、すなわち転送側から見て、Ｃ３，Ｃ４，…，Ｃ３，Ｃ４を、Ｒ用水平転送ＣＣＤ２３ｂは、Ｃ４，Ｃ３，…，Ｃ４，Ｃ３を受け取る。
【００４０】
次に、１クロックが経過すると、Ｌ用水平転送ＣＣＤ２３ａに保持されていたＣ３，Ｃ４，…，Ｃ３，Ｃ４が、アンプ２５を経てＣＤＳ／ＡＤＣ１２へ、Ｒ用水平転送ＣＣＤ２３ｂに保持されていたＣ４，Ｃ３，…，Ｃ４，Ｃ３が、ダミー水平転送ＣＣＤ２４及びアンプ２５を経てＣＤＳ／ＡＤＣ１２へ転送される（図５）。Ｒチャンネル信号は、ダミー水平転送ＣＣＤ２４を経由することから、Ｌチャンネル信号に比べてダミー水平転送ＣＣＤ２４の分だけ遅延する。また、Ｌ用水平転送ＣＣＤ２３ａは、信号の進行方向、すなわち転送側から見て、Ｃ１，Ｃ２，…，Ｃ１，Ｃ２を、Ｒ用水平転送ＣＣＤ２３ｂは、Ｃ２，Ｃ１，…，Ｃ２，Ｃ１の各信号を受け取る。
【００４１】
さらに、１クロックが経過すると、Ｌ用水平転送ＣＣＤ２３ａに保持されていたＣ１，Ｃ２，…，Ｃ１，Ｃ２が、アンプ２５を経てＣＤＳ／ＡＤＣ１２へ、Ｒ用水平転送ＣＣＤ２３ｂに保持されていたＣ２，Ｃ１，…，Ｃ２，Ｃ１が、ダミー水平転送ＣＣＤ２４及びアンプ２５を経てＣＤＳ／ＡＤＣ１２へ転送される（図６）。上述と同様に、Ｒチャンネル信号は、ダミー水平転送ＣＣＤ２４を経由することから、Ｌチャンネル信号に比べてダミー水平転送ＣＣＤ２４の分だけ遅延する。撮像装置１は、上述のような処理を繰り返して、受光部にて光電変換されたアナログ信号を順次転送する。
【００４２】
図７は本発明に係る撮像装置の各時点（時刻）におけるＬチャンネル信号及びＲチャンネル信号のキャリア成分に基づく色の左右差発生の有無を説明するための説明図である。なお、領域２０ａ，２０ｂに属する受光部の行方向の数がともにｎ、列方向の数がともにｍであるとする。
【００４３】
たとえば、時刻Ｔ１（１）においては、Ｌチャンネル信号のキャリア成分はＣ３であるが、Ｒチャンネル信号はダミー水平転送ＣＣＤ２４の影響によって無信号である。したがって、ＣＤＳ／ＡＤＣ１２において、出力側のデジタル信号は一方のキャリア成分Ｃ３しか含まれないので、ノイズの入力側への戻り込みがあった場合でも、Ｃ３以外のキャリア成分が混入することはない。
【００４４】
また、時刻Ｔ１（２）においては、Ｌチャンネル信号のキャリア成分はＣ４であるが、Ｒチャンネル信号はダミー水平転送ＣＣＤ２４の影響によって１クロック分遅延されることから、そのキャリア成分はＣ４となる。したがって、ＣＤＳ／ＡＤＣ１２において、出力側のデジタル信号は同一キャリア成分Ｃ４を含むことになるので、ノイズの入力側への戻り込みがあった場合でも、両チャンネルのキャリア成分の変化を同一にすることができ、左右のキャリア成分による左右差（色の左右差）を抑制することができる。
【００４５】
さらに、領域２０ａ，２０ｂに属する受光部の行方向の数がともにｎであることから、水平転送ＣＣＤ（Ｌ用水平転送ＣＣＤ２３ａ，Ｒ用水平転送ＣＣＤ２３ｂ）の段数はｎであり、時刻Ｔ１（ｎ＋１）においては、Ｌチャンネル信号は無信号であるが、Ｒチャンネル信号はダミー水平転送ＣＣＤ２４の影響によって１クロック分遅延されることから、そのキャリア成分はＣ３となる。したがって、ＣＤＳ／ＡＤＣ１２において、出力側のデジタル信号は一方のキャリア成分Ｃ３しか含まないので、ノイズの入力側への戻り込みがあった場合でも、Ｃ３以外のキャリア成分が混入することはない。
【００４６】
各ラインに対しても上述と同様であり、すべての時刻Ｔｉ（ｊ）において、異なるキャリア成分の信号がＣＤＳ／ＡＤＣ１２に入力することがなくなるので、ノイズの入力側への戻り込みがあった場合でも、左右のキャリア成分による左右差（色の左右差）を抑制することができる（ｉ＝１〜ｍ，ｊ＝１〜ｎ＋１）。
【００４７】
また、水平転送のタイミングのずれを後段の遅延補正回路１３で補正することにより、ゲイン検出回路１４から後段の構成を従来の構成（例えば図８）と同様にして、従来と同様のゲイン補正の手法を適用することができる。
【００４８】
なお、実施の形態では、２分割読み出し方式のＣＣＤについて説明したが、４分割読み出し方式、８分割読み出し方式などにおいても、同じタイミングで同一のキャリア成分が転送されるようにダミー水平転送ＣＣＤの段数を調整させることで、戻り込みノイズによる各チャンネルのキャリア成分による色差を抑制することが可能である。
【図面の簡単な説明】
【００４９】
【図１】本発明に係る撮像装置の構成を示すブロック図である。
【図２】本発明に係る撮像装置の撮像時の状態を説明するための説明図である。
【図３】本発明に係る撮像装置の撮像時の状態を説明するための説明図である。
【図４】本発明に係る撮像装置の撮像時の状態を説明するための説明図である。
【図５】本発明に係る撮像装置の撮像時の状態を説明するための説明図である。
【図６】本発明に係る撮像装置の撮像時の状態を説明するための説明図である。
【図７】本発明に係る撮像装置の各時刻におけるＬチャンネル信号及びＲチャンネル信号のキャリア成分に基づく色の左右差発生の有無を説明するための説明図である。
【図８】従来の多分割（２分割）読み出し方式の撮像装置の構成を示すブロック図である。
【図９】撮像装置のフィルタの配置例を示す配置図である。
【図１０】従来の撮像装置の各時刻におけるＬチャンネル信号及びＲチャンネル信号のキャリア成分に基づく色の左右差発生の有無を説明するための説明図である。
【符号の説明】
【００５０】
１  撮像装置
１０  制御部
１１  メモリ
１２  ＣＤＳ／ＡＤＣ
１３  遅延補正回路
１４  ゲイン検出回路
１５  ゲイン補正回路
１６  要素並替回路
１７  ＣＣＤ信号処理回路
２０  ＣＣＤ
２０ａ，２０ｂ  領域
２１ａ，２１ｂ  受光部
２２ａ  Ｌ用垂直転送ＣＣＤ
２２ｂ  Ｒ用垂直転送ＣＣＤ
２３ａ  Ｌ用水平転送ＣＣＤ
２３ｂ  Ｒ用水平転送ＣＣＤ
２４  ダミー水平転送ＣＣＤ
Ｕ  画素群
【図１】
2006319581.tif 000003
【図２】
2006319581.tif 000004
【図３】
2006319581.tif 000005
【図４】
2006319581.tif 000006
【図５】
2006319581.tif 000007
【図６】
2006319581.tif 000008
【図７】
2006319581.tif 000009
【図８】
2006319581.tif 000010
【図９】
2006319581.tif 000011
【図１０】
2006319581.tif 000012